(57)【要約】【課題】  簡単に気腹下処置と腹腔外処置との切り替えができ、気腹下での処置を行う場合には本発明からも鉗子操作が行え、癌部位の摘出の際に腹壁の切開創が保護され、癌細胞の創感染の問題がない医療用処置用具を提供する。【解決手段】  体内臓器取出用の開口部を持ち、更に開口部には処置具挿入用ポートを気密に取り付け可能な第１の固定部材と同じく体内臓器取出用の開口部を持ち、更に開口部の回りに創壁を保護するための筒状部材を気密に付設した可とう性を有する第２の固定部材と、両固定部材間の長さを調整して所望の長さに固定するための固定部材間隔調整部材と、第１の固定部材に気密に取り付け可能で、処置具を挿入していない時に装置内を気密に保つ第１の気密部材と、処置具を挿入した時に装置内を気密に保つ第２の気密部材を付設した処置具挿入用ポートからなる。【選択図】  図４
2006142037.tif 000002
【特許請求の範囲】
【請求項１】
近位端に１つ以上の入口、遠位端に１つの出口をもち、遠位端は固定部材により固定し、固定部材には筒状部材を取り付け、近位端のそれぞれの入口には気密を保つために少なくとも１つの気密部材を付設したことを特徴とする医療用処置用具。
【請求項２】
固定部材が第１の固定部材と第２の固定部材からなり、両固定部材の間には間隔変更可能な筒状部材を気密に付設した請求項１記載の医療用処置用具。
【請求項３】
第２の固定部材が可とう性を有する材料からなる請求項１又は２記載の医療用処置用具。
【請求項４】
筒状部材が可とう性を有する材料からなる請求項１〜３記載のいずれかの医療用処置用具。
【請求項５】
筒状部材が円筒形状である請求項１〜４記載のいずれかの医療用処置用具。
【請求項６】
気密部材が第１の気密部材と第２の気密部材からなる請求項１〜５記載のいずれかの医療用処置用具。
【請求項７】
気密部材が可とう性のある隔膜からなる請求項１〜６記載のいずれかの医療用処置用具。
【請求項８】
体内臓器取出用の開口部を持ち、この開口部には処置具挿入用ポートを気密に取り付け可能な第１の固定部材を設け、更に開口部の回りに筒状部材を気密に付設した第２の固定部材、両固定部材間の長さを調整する固定部材間隔調整部材及び第１の固定部材に気密に取り付け可能な処置具挿入用ポートを設けたことを特徴とする医療用処置用具。
【請求項９】
筒状部材及び第２の固定部材が可とう性を有する請求項８記載の医療用処置用具。
【請求項１０】
固定部材間隔調整部材が蓋形状で第１の固定部材と筒状部材を挟んで固定でき、筒状部材を十分に引張て間隔を調整し、固定部材間隔調整部材を第１の固定部材に被せて固定する請求項８又は９記載の医療用処置用具。
【請求項１１】
固定部材間隔調整部材が第１の固定部材に形付けられたスリット形状であり、第２の固定部材に取り付けた固定用糸により第１の固定部材と第２の固定部材の間隔を調整可能な請求項８又は９記載の医療用処置用具。
【請求項１２】
固定部材間隔調整部材が第１の固定部材に取り付けられた突起部であり、第２の固定部材に取り付けられた固定部材間隔調整用シートにより第１の固定部材と第２の固定部材の間隔を調整して固定部材間隔調整用シートに付設された固定用穴と第１の固定部材の突起部を嵌合させて固定する請求項８又は９記載の医療用処置用具。
【請求項１３】
固定部材間隔調整部材が第１の固定部材に取り付け可能で、筒状部材を十分に引張て間隔を調整し、筒状部材上に付設した１つ以上の間隔固定部材に引っかけて固定する請求項８又は９記載の医療用処置用具。
【請求項１４】
筒状部材が円筒形状である請求項８〜１３記載のいずれかの医療用処置用具。
【請求項１５】
処置具挿入用ポートの処置具挿入口が複数である請求項８〜１４記載のいずれかの医療用処置用具。
【請求項１６】
処置具挿入用ポートに第１の気密部材と第２の気密部材を付設した請求項８〜１５記載のいずれかの医療用処置用具。
【請求項１７】
気密部材が可とう性のある隔膜である請求項１６記載の医療用処置用具。
【請求項１８】
体内臓器取出用の開口部を中央に持つ可とう性を有するシート、シートの開口部の内縁に沿って取り付けられた固定部材、シートの外縁に取付けられた支持部材と張力調整部材、シートを挟んで互いに気密に嵌合する処置具挿入用ポートとポート取付部材からなり、支持部材と張力調整部材によりシート外縁に向かって任意の張力を加えて開口部を広げることを特徴とする医療用処置用具。
【請求項１９】
処置具挿入用ポートに第１の気密部材と第２の気密部材を付設した請求項１８記載の医療用処置用具。
【請求項２０】
気密部材が可とう性のある隔膜である請求項１９記載の医療用処置用具。
【発明の詳細な説明】
【技術分野】
【０００１】
本発明は内視鏡下外科手術において、気腹下での処置の後、気腹を解除して体外に臓器を取り出して処置を行ったり、再び臓器を体内に戻して再気腹下の操作で患部の確認や追加処置を行うための医療用処置用具に関するものである。
【背景技術】
【０００２】
近年、低侵襲外科手術の方法として内視鏡外科手術が広く実施されている。内視鏡下手術は内視鏡から見た映像を画面で見ながら遠隔操作で手術を行う方法である。
【０００３】
実際に手術を行う術者は、内視鏡で映し出された映像を画面で見ながら複数の鉗子等の処置具を操作して遠隔操作で手術を行うため、開腹手術と違い術者が実際に臓器及び患部を手で直接触ることはできない。このため、処置は慎重に行う必要があり、特に大腸や胃の手術の手術時間は長時間におよび、術者のストレスがかなり大きくなる。このため、最終的に大きな標本を摘出することが想定される場合、小切開をおくことを前提として、気腹下での処置と小切開口から臓器を取りだしての処置とを簡単に移行できるように小切開口を簡単に気密に塞ぐことができる装置が開示されている（例えば特許文献１）。
【０００４】
これは、２枚の円盤に糸を通した簡単な装置で、気密板と呼ばれる可とう性のある材料で作られた円盤を腹腔内に挿入し、固定板と呼ばれる剛性があり、糸固定用のスリットの入った円盤との間に腹壁を挟み込んで糸固定を行うことで小切開口が塞がり再気腹を行うことができる。この装置を使用することにより、気腹下で摘出臓器周囲の剥離などの処置を十分に行った後、臓器を取出す場所に３〜５ｃｍ程度の小切開をおき、その小切開口から対象臓器を体外に取りだして病変部の切離、摘出、縫合を術者の目で直接見て、術者の手で直接手術を行う。その後臓器を腹腔内へ戻し、再度気腹下の状態にする必要がある場合、従来、糸で一時的に縫合したり、複数の鉗子で小切開部を塞いだりしていたが、糸で縫合すると再度体外の処置を行いたい場合に糸を取り去る必要があり、鉗子で塞ぐ場合、組織の損傷の危険が生じていた。そこで、この装置を使用することで前述のとおり簡単に気腹下の状態に移ることができ、また、更に小切開口を通しての処置を行いたい場合は気腹を落として本装置を取り外すことで容易に移行できる。しかし、「再気腹しているときはその部位からトロッカーを通した鉗子操作が行えない」「癌部位の摘出の際、腹壁の切開創が保護されていないため、癌細胞の創感染が懸念される」等の問題点があった。
【０００５】
また、使用する鉗子類の種類を選ばず腹腔内から気腹ガスがリークするのを防止することが可能な弁及び弁付トラカール外套管が開示されている（例えば特許文献２）。この弁は２枚のリングの間に柔軟な筒状部材を付設し、２枚のリングを逆方向に捻ることで外径の異なった鉗子や術者の腕を挿入し、体内の処置を行うことが可能であり、この弁を開くことで臓器を体外に取りだして処置を行うことも可能である。しかし、この方式では鉗子等が弁によって絞られながら固定されるため、前進後退がしにくい欠点がある。また、腕を挿入した場合は特に前後運動によって腕の太さが変わるため場合により気密が保持しにくくなり、弁の絞りを調節する必要がある。
【０００６】
更に、柔軟で内面と開口端があるエンクロージャーで、開口端には腹壁固定及び気密を守るための展開手段を持ち、エンクロージャーの内部にアクセスするための少なくとも一つのアクセスオープニングがあり、腹腔内あるいはエンクロージャーの内部で外科手術を行うことが可能である装置が開示されている（例えば特許文献３）。この装置は従来、腹腔鏡、胸腔鏡手術に使用されているような硬性のトラカールではなく、柔軟なシート材で構成されており、腹壁の切開口にあった形状に変形可能な展開手段を切開口から挿入して腹腔内で展開させ、気腹用の炭酸ガスが腹腔内からエンクロージャー内部へ流入してエンクロージャーが膨脹し、展開手段は腹壁との気密を守る。更にエンクロージャー外周表面にアクセスオープニングを複数取り付ければ複数の鉗子が挿入でき、創部直下の観察
も行え、創縁も保護される。しかし、エンクロージャーは基本的に球状であり、外周表面に取り付けられた各々のアクセスオープニングまでの距離は、設定時に決定され固定されてしまうため、複数の処置具を挿入している際、１本の処置具を大きく動かすと他の処置具も引きずられて動いてしまったり、また、腹壁の切開口が鉗子などの処置具に対して大きく操作時の腹壁での支点がないため鉗子操作が煩雑になるという欠点があった。
【０００７】
アウタースリーブと２つのシール手段を持つ構造で、小切開口を通して腹腔内に入り、２つのシール手段を使ってアウタースリーブ内に気密な空間を構成する装置が開示されている（例えば特許文献４）。この装置は装置内を通して体内に術者の手及び腕を挿入した際、気腹をした状態で体内臓器の処置を行うことができ、また、第三のシール手段を使えば、腕を抜いた状態でもスリーブ及び体内の気密を保つことができる。しかし、この装置は術者が体内の臓器を体外に引き出して処置したい際、スリーブ部分を患者の体表に被せてあるドレープに接着する構造であり、接着部より上側を分離できる状態になっていないため、ドレープを切り取り装置全体を一旦取り出すか、スリーブ部分を切り取らないと体外に臓器を取り出して処置することができない。装置を取り出せば腹壁に癌組織が付着する恐れがあり、また、スリーブ部分を切り取れば、体外での処置が終わった後で再度気腹を行い腹腔内で観察、処置することができない。
【０００８】
基本的には同様な構造で、スリーブと腹壁固定部を分離し、スリーブの遠位端のリングと、腹壁固定部のリングをスナップして固定する装置等が開示されている（例えば特許文献５）。この装置はスリーブと腹壁固定部を分離できるため、スリーブ部分を取り外して、腹壁固定部を腹壁に残したまま体内の臓器を体外に引き出して処置できるため、切開口に癌組織が付着することもなく、処置が終わった後、臓器を体内に戻して再度スリーブを固定して気腹下で観察、処置を行うことができる。しかし、スリーブと腹壁固定具のリングをスナップで全周にわたってはめ合わせることは難しく、はめ合わせの不十分な箇所があった場合は、気密を保持できなくなる。また、もし、スリーブを通して処置具を操作するとこの装置も腹壁の切開口が鉗子などの処置具に対して大きく操作時の腹壁での支点がないため鉗子操作が煩雑になるという欠点があった。
【０００９】
体内外にわたって一繋がりのドーナツ型のバルーンを膨脹させることで内腔を閉じて手や鉗子挿入時および抜去時の腹腔内の気密を保つ装置が開示されている（例えば特許文献６）。この装置は構造が単純で組み立ても簡単であるので手術時間を短縮できる。しかし、この装置では気腹を解除して体外に臓器を取り出して処置を行いたい場合、バルーンを収縮させなければならず、同時に創部が閉じてしまうために新たに開創器具を用いなければならないという欠点があった。
【００１０】
スリーブを腹壁の上下からリング状部材で固定し、通常のシール弁と弾性薄膜でつくったスリット状の開口を有する弁の２つの弁を有することで、手の挿入時および非挿入時の気密性を高めた装置が開示されている（例えば特許文献７）。この装置は手および鉗子の非挿入時にスリット状の弁が腹腔圧によって折り返し部分からなる接触面が互いに押し付けられるように膨脹することにより気密を保持するため、手の挿入時に弁を開いてしまえば弾性薄膜の弾性力以上の力は発生しないため、腕を締め付ける力は非常に小さくて済み、長時間の使用において術者のストレスが軽減される。しかし、この装置では気腹を解除して体外に臓器を取り出して処置を行いたい場合や創部から直視下で処置を行いたい場合に、特にスリット状の弁が邪魔になってしまう欠点があり、また、スリーブを通して処置具を操作するとこの装置も腹壁の切開口が鉗子などの処置具に対して大きく、また、操作時の腹壁での支点がないため鉗子操作が煩雑になるという欠点があった。
【００１１】
腹壁の切開口周辺部の外側と内側からしっかり挟んで固定されるポートと、そのポートに取り付ける蓋により内腔を閉じて手や鉗子挿入時および抜去時の腹腔内の気密を保つ装置が開示されている（例えば特許文献８）。この装置は構造が単純で組み立ても簡単であるので手術時間を短縮できる。しかし、この装置では切開口の大きさや腹壁の厚さに柔軟に対応できないという欠点があった。
【００１２】
ネジ山の付いたテーパー形状の環状部材を腹壁にねじ込んで固定し、着脱可能な可とう性のエンベロープを取り付け、手や鉗子挿入時および抜去時の腹腔内の気密を保つ装置が開示されている（例えば特許文献９）。この装置は環状部材を創部にねじ込むだけで容易に腹腔内へのアクセスポートを設置でき、環状部材が鉗子の支点となりうるため鉗子操作が容易に行える。しかし、環状部材を創部にねじ込んで用いるために創部を痛める恐れがあり、また、腹壁の厚さと切開口の大きさに対して柔軟に対応できないという欠点があった。
【特許文献１】特開平１０−１５１１３５号公報
【特許文献２】特開平１０−１０８８６８号公報
【特許文献３】ＵＳＰ５４８０４１０号
【特許文献４】ＵＳＰ５６４０９７７号
【特許文献５】ＵＳＰ５８１３４０９号
【特許文献６】ＵＳＰ５３６６４７８号
【特許文献７】特開平１１−９９１５６号公報
【特許文献８】ＵＳＰ５７４１２９８号
【特許文献９】ＵＳＰ５６５３７０５号
【発明の開示】
【発明が解決しようとする課題】
【００１３】
本発明は、従来の内視鏡下手術における処置のこのような欠点を解決するもので、その目的とするところは、組立が簡単で、様々な腹壁の厚さや切開創の大きさに柔軟に対応した設置が可能で、簡単に気腹下処置と腹腔外処置との切り替えができ、気腹下での処置を行う場合には鉗子操作が可能な医療用処置用具を提供することにある。
【課題を解決するための手段】
【００１４】
すなわち本発明の第１の発明は、近位端に１つ以上の入口、遠位端に１つの出口をもち、遠位端は固定部材により固定し、固定部材には筒状部材を取り付け、近位端のそれぞれの入口には気密を保つために少なくとも１つの気密部材を付設したことを特徴とする医療用処置用具である。
【００１５】
又第２の発明は、体内臓器取出用の開口部を持ち、この開口部には処置具挿入用ポートを気密に取り付け可能な第１の固定部材を設け、更に開口部の回りに筒状部材を気密に付設した第２の固定部材、両固定部材間の長さを調整する固定部材間隔調整部材及び第１の固定部材に気密に取り付け可能な処置具挿入用ポートを設けたことを特徴とする医療用処置用具である。
【００１６】
更に第３の発明は、体内臓器取出用の開口部を中央に持つ可とう性を有するシート、シートの開口部の内縁に沿って取り付けられた固定部材、シートの外縁に取付けられた支持部材と張力調整部材、シートを挟んで互いに気密に嵌合する処置具挿入用ポートとポート取付部材からなり、支持部材と張力調整部材によりシート外縁に向かって任意の張力を加えて開口部を広げることを特徴とする医療用処置用具である。
【発明の効果】
【００１７】
本発明の医療用処置用具は、腹腔鏡下手術の術中には、簡単に気腹下処置と腹腔外処置との切り替えができ、気腹下での処置を行う場合には本発明からも鉗子操作が行え、癌部位の摘出の際に腹壁の切開創が保護され、癌細胞の創感染の問題がないため、術者のストレスが軽減され、手術時間のスピードアップや感染防止が図られ、更には、開腹手術より手術創が小さく美容面で有用であり、ひいては患者の早期社会復帰、医療経済への削減効果が期待できる。
【発明を実施するための最良の形態】
【００１８】
以下、図面により本発明を具体的に説明する。図１ａは本発明の一実施例となる医療用処置用具の外観図を示しており、図１ｂはその断面図、図２ａは本発明の一実施例となる医療用処置用具の外観図を示しており、図２ｂはその断面図、図３ａは本発明の一実施例となる医療用処置用具の外観図を示しており、図３ｂはその断面図、図４ａは本発明の一実施例となる医療用処置用具の外観図を示しており、図４ｂはその断面図、図５ａは本発明の一実施例となる医療用処置用具の外観図を示しており、図５ｂはその断面図、図６は本発明の一実施例となる医療用処置用具の外観図、図７は本発明の一実施例となる医療用処置用具の外観図、図８ａ、ｂ、ｃ、ｄは本発明の医療用処置用具の第１の固定部材と処置具挿入用ポートを着脱する構造を示す外観図である。
【００１９】
また、図９は本発明の一実施例となる医療用処置用具の構成を示す断面図、図１０は本発明の一実施例となる医療用処置用具の構成を示す断面図、図１１は本発明の一実施例となる医療用処置用具の第１の固定部材と固定部材間隔調整部材の嵌合時の断面図、図１２は本発明の一実施例となる医療用処置用具の処置具挿入用ポートと第１の固定部材と固定部材間隔調整部材の嵌合時の断面図である。
【００２０】
さらに、図１３は本発明の一実施例となる医療用処置用具の処置具挿入用ポート取付前の正面図を示しており、図１４はその断面図、図１５ａ、ｂは本発明の一実施例となる医療用処置用具の張力調整部材の断面図を示しており、図１６は本発明の一実施例となる医療用処置用具の処置具挿入用ポート取付前の正面図を示しており、図１７はその断面図、図１８は本発明の一実施例となる医療用処置用具の処置具挿入用ポート取付後の正面図を示しており、図１９はその断面図、図２０ａ、ｂは本発明の一実施例となる医療用処置用具の処置具挿入用ポートの構造を示す断面図である。
【００２１】
本発明による医療用処置用具は、筒状部材（１）（５１）（７３）、第１の気密部材（２）（５２）（９８）、第２の気密部材（３）（５３）（９９）、固定部材（４）（８１）、第１の固定部材（５）（５５）（７４）、第２の固定部材（６）（５６）（７５）、処置具挿入用ポート（５４）（７８）（９６）、固定部材間隔調整部材（５７）（７７）、スリット（５８）、固定用糸（５９）、突起部（６０）、固定部材間隔調整用シート（６１）、固定用穴（６２）、ネジ（６３）、シールリング（６４）、つめ（６５）（６７）（７０）、受け部（６６）、つめ挿入部（６８）（７１）、クランプ（６９）、つめ挿入部シール部材（７２）、間隔固定部材（７６）（７９）、シート（８０）、支持部材（８２）（９３）、張力調整部材（８３）（９４）、ポート取付部材（８４）、張力調整部材本体（８５）、歯付支持部材（８６）、爪歯車（８７）、係止歯（８８）、バネ（８９）、係止解除レバー（９０）（９５）、ネジ付支持部材（９１）、調整ネジ（９２）、隔膜（９７）らの構成要素が組み合わされて形成される。
【００２２】
構造を簡単に説明すると、図１〜図３や図４〜図７のように近位端に１つ以上の入口、遠位端に１つの出口をもち、遠位端は図１のように１つの固定部材（４）（８１）により腹壁に固定されたり、図２〜図７のように第１の固定部材（５）（５５）、第２の固定部材（６）（５６）の２つの固定部材で腹壁を挟み込むように位置される。固定部材には創壁を保護するための筒状部材（１）（５１）が取り付けられるが、筒状部材の取り付け方法は図１のように固定部材が１つの場合は固定部材（４）に取り付け、図２〜図７のように固定部材が２つの場合は、図２、図３、図４のように第２の固定部材に取り付けて第１の固定部材を移動させて間隔を調整したり、図５のように第１の固定部材に取り付けて第２の固定部材を包み込むように筒状部材を位置させ第２の固定部材を移動させて間隔を調整したり、図６、図７のように第１の固定部材、第２の固定部材の両方に取り付けて、固定糸（５９）や固定部材間隔調整用シート（６１）を引っ張って間隔を調整し、固定糸（５９）を第１の固定部材（５５）に付設したスリット（５８）にはめ込んだり、固定部材間隔調整用シート（６１）に付設されている固定用穴（６２）を第１の固定部材に付設した突起部（６０）にはめ込んだりして固定する。
【００２３】
近位端の入口には鉗子等を挿入していない際に気密を保つために第１の気密部材（２）（５２）が配置され先端をキャップ等で閉じたり、内部にフラップ弁やダックビル弁等の弁部材を付設しても良い。更に、鉗子等を挿入している際に気密を保つために第２の気密部材（３）（５３）が配置され円形の穴の開いたシール弁等を付設しても良い。また、これらは図４〜図７のように処置具挿入用ポート（５４）に内蔵させて配置しても良い。更に、図４〜図７は気腹下の処置と腹腔外での処置を適宜容易に移行できるように、第１の固定部材（５５）と処置具挿入用ポートの取り付けを図８ａ、ｂ、ｃ、ｄに示すような方法をとっても良い。
【００２４】
また、図９、１０のように、筒状部材（７３）には近位端には第１の固定部材（７４）、遠位端には第２の固定部材（７５）が取り付けられ、円筒面上には１つ以上の間隔固定部材（７６）（７９）が取り付けられている。固定部材間隔調整部材（７７）は任意の間隔固定部材（７６）（７９）を保持し第１の固定部材（７４）に装着可能である。処置具挿入用ポート（７８）は第１の固定部材（７４）または固定部材間隔調整部材（７７）に装着可能で、気腹ガスの漏れを防ぐ構造としてもよい。
【００２５】
さらに、図１３、１４、１８、１９のように、シート（８０）の中央に臓器取り出し用の開口部を持ち、シートの開口部の内縁に沿って固定部材（８１）を取り付け、シートの外縁にシートに任意の張力を与えることができる支持部材（８２）と張力調整部材（８３）を取付けてあり、シートを挟んで互いに気密に嵌合する処置具挿入用ポート（９６）とポート取付部材（８４）を持ち、処置具挿入用ポート（９６）には気腹ガスの漏れを防ぐ処置具挿入用ポート（９６）が装着されているような構造としてもよい。
【００２６】
筒状部材（１）（５１）（７３）は肉厚０．１〜３ｍｍの薄肉の円筒形状の部材であり、通常、インフレーション成形や、押出成形、熱溶着等のシート加工等により作製されるが特に限定されない。筒状部材（１）（５１）（７３）の大きさは処置を行う部位、目的によって異なるが、腹腔鏡補助下大腸切除術に使用される場合外径３〜１０ｃｍの大きさとなる。また、使用時、遠位端を切開口へ挿入・固定して炭酸ガスによる膨脹状態の中で筒状部材（１）（５１）（７３）内を内視鏡や鉗子等の処置具が頻繁に出入りし、また、第１の固定部材（５）（５５）や第２の固定部材（５６）が内部で移動するため、邪魔にならないような、嵩張らず、適度に柔軟で、更に、処置具等が当たっても切れたり割れたり裂けたり摺れたりし難い材質を選ぶのが良く、例えば、軟質塩化ビニル樹脂、ポリウレ
タン樹脂、ポリエチレン樹脂、ポリプロピレン樹脂、ポリエステル樹脂、ＳＥＢＳ樹脂、シリコーンゴム、天然ゴムのような材質が好ましい。
【００２７】
気密部材は第１の気密部材（２）（５２）（９８）と第２の気密部材（３）（５３）（９９）からなるタイプとトロカールを刺入する隔膜（９７）からなるタイプが考えられる。
【００２８】
第１の気密部材（２）（５２）（９８）は鉗子等を挿入していない時に気密を保つために設置するものであり、近位端の先端をキャップ等で閉じたり、内部にフラップタイプの弁やダックビルタイプの弁等の弁部材を付設しても良い。第１の固定部材（５５）との着脱を行う場合、処置具挿入用ポート（５４）（７８）（９６）を使用してその中に内蔵させても良い。キャップ等で閉じる場合は近位端入口に嵌合部材を取り付け、それとの凹凸で嵌合させたり、ネジによって固定しても良い。キャップは通常射出成形などで成形され、その材質は塩化ビニル樹脂、ポリウレタン樹脂、ポリエチレン樹脂、ポリプロピレン樹脂、ポリアセタール樹脂、ポリカーボネート樹脂、ポリサルフォン樹脂など若干硬質の樹脂かシリコーンゴム、天然ゴム、ＮＢＲ等の合成ゴムなどが使用される。
【００２９】
フラップタイプの弁は通常、腹腔鏡外科手術などで使用されるトラカールに内蔵されているような硬質の成型品とバネ部材を組み合わせた物でも、シリコーンゴムのような弾性部材をフラップ形状に成形、加工して使用しても良い。フラップタイプの弁は体外側に開くことはなく、体内側にのみに動くので、処置具等が挿入されていない時は体内側の陽圧によりフラップが体外方向に押されて閉じる構造である。フラップタイプの弁は射出成形や圧縮成形などで成形され、その材質は塩化ビニル樹脂、ポリウレタン樹脂、ポリエチレン樹脂、ポリプロピレン樹脂、ポリアセタール樹脂、ポリカーボネート樹脂、ポリサルフォン樹脂、シリコーンゴムなどが使用される。ダックビルタイプの弁も同様に射出成形や圧縮成形で成形され、主としてシリコーンゴムなどの弾性材料で作成される。
【００３０】
第２の気密部材（３）（５３）（９９）は鉗子等を挿入している際に気密を保つために配置され、円形の穴の開いたシール弁等を付設しても良い。シール弁は射出成形、圧縮成形、シート加工等により作製され、近位端入口や処置具挿入用ポート（５４）（７８）（９６）に熱溶着または接着される。シール弁の厚さは０．１〜３ｍｍ程度が適当である。これは、０．１ｍｍ未満では炭酸ガスの圧力により弁が変形され易くなり、３ｍｍを超えると鉗子等の処置具を挿入する際の摩擦抵抗が大きくなり、挿入が困難となるためである。内径は処置具等の外径に合わせ、０．５ｍｍ〜３０ｍｍが適当である。シール弁の材質は、可とう性を有するものが望ましく例えば天然ゴム、シリコーンゴム、塩化ビニル樹脂、ウレタン樹脂、ＳＥＢＳ樹脂などが適当である。
【００３１】
隔膜（９７）はトロカールを刺入することが可能で、その状態での気密性を確保する。隔膜（９７）の厚さは０．１〜３ｍｍが好ましい。これは、０．１ｍｍ未満では炭酸ガスの圧力により弁が変形され易くなり、３ｍｍを超えると鉗子等の処置具を挿入する際の摩擦抵抗が大きくなり、挿入が困難となるためである。内径は処置具等の外径に合わせ、０．５ｍｍ〜３０ｍｍが好ましい。隔膜（９７）の材質は、可とう性を有するものが望ましく例えば天然ゴム、シリコーンゴム、塩化ビニル樹脂、ウレタン樹脂、ＳＥＢＳ樹脂等が適当である。
【００３２】
固定部材（４）（８１）は筒状部材（１）の遠位端側に付設して形成されるか、シート（８０）の開口部の内縁に沿って付設して形成される。通常、射出成形、圧縮成形または押出成形チューブの加工によって作製され、筒状部材（１）もしくはシート（８０）に包まれ、密着して熱溶着または接着固定されか、固定部材表面に密着して熱溶着または接着固定される。内外径は処置を行う部位や挿入箇所となる小切開口の大きさ及び、挿入する処置具の大きさによるため限定されないが、腹腔鏡補助下大腸切除術を行う場合、約２〜８ｃｍの小切開に対して内径約３〜１１ｃｍ、外径約６〜１２ｃｍに設定することが適当である。固定部材（４）（８１）の材質は塩化ビニル樹脂、ポリウレタン樹脂、ポリエチレン樹脂、ポリプロピレン樹脂、ポリアセタール樹脂、ＡＢＳ樹脂、ＳＥＢＳ樹脂、シリ
コーンゴム等や、ステンレス鋼などの金属が使用される。
【００３３】
第１の固定部材（５）（５５）（７４）は筒状部材（１）（５１）（７３）の内周を移動させるように固定させずに設置される場合と、筒状部材（１）（５１）（７３）の近位端側に付設して設置される場合がある。通常、射出成形、圧縮成形または押出成形チューブの加工によって作製され、筒状部材（１）（７３）に付設される場合は、筒状部材（１）（７３）に包まれ、密着して熱溶着または接着固定されか、固定部材表面に密着して熱溶着または接着固定される。内外径は処置を行う部位や挿入箇所となる小切開口の大きさ及び、挿入する処置具の大きさによるため限定されないが、腹腔鏡補助下大腸切除術を行う場合、約２〜８ｃｍの小切開に対して内径約３〜１２ｃｍ、外径約６〜１５ｃｍに設定することが適当である。第１の固定部材（５）（５５）（７４）の材質は塩化ビニル樹脂、ポリウレタン樹脂、ポリエチレン樹脂、ポリプロピレン樹脂、ＡＢＳ樹脂、ポリアセタール樹脂、ＳＥＢＳ樹脂、シリコーンゴム等や、ステンレス鋼などの金属が使用される。
【００３４】
第２の固定部材（６）（５６）（７５）は筒状部材（１）（５１）（７３）の周囲（または外周）を移動させるように固定させずに設置される場合と、筒状部材（１）（５１）（７３）の遠位端側に付設して設置される場合がある。通常、射出成形、圧縮成形または押出成形チューブの加工によって作製され、筒状部材（１）（７３）に付設される場合は、筒状部材（１）（７３）に包まれ、密着して熱溶着または接着固定されか、固定部材表面に密着して熱溶着または接着固定される。内外径は処置を行う部位や挿入箇所となる小切開口の大きさ及び、挿入する処置具の大きさによるため限定されないが、腹腔鏡補助下大腸切除術を行う場合、約２〜８ｃｍの小切開に対して内径約３〜１２ｃｍ、外径約６〜１５ｃｍに設定することが適当である。第２の固定部材（６）（５６）（７５）の材質は
塩化ビニル樹脂、ポリウレタン樹脂、ポリエチレン樹脂、ポリプロピレン樹脂、ＡＢＳ樹脂、ポリアセタール樹脂、ＳＥＢＳ樹脂、シリコーンゴム等が使用される。
【００３５】
処置具挿入用ポート（５４）（７８）は通常射出成形により成形され、第１の固定部材（５５）（７４）に取り付けられ、気密部材が付設または内蔵されている。第１の固定部材との取り付け方法は図８、図１２に示すような構造に形成される。図８ａは第１の固定部材（５５）とネジ（６３）により固定され、図８ｂは第１の固定部材（５５）に凸状の受け部（６６）を設け、処置具挿入用ポート（５４）のつめ（６５）と嵌合され、図８ｃは第１の固定部材（５５）に凹状のつめ挿入部（６８）を設け、処置具挿入用ポート（５４）のつめ（６７）を挿入して回転させると、つめ（６７）の形状が図のように傾斜を有しているため締め付け固定される。また、図８ｄは第１の固定部材（５５）につめ挿入部（７１）を第１の固定部材を貫通しないように形成するか、図のようにつめ挿入部シール部材（７２）を気密に取り付けて、処置具挿入用ポート（５４）のクランプ（６９）のつめ（７０）を挿入して固定し、取り外すときはクランプ（６９）の手元側をつまむと取り外しができるようにも形成できる。
【００３６】
また、処置具挿入用ポート（９６）は図１８、１９のようにポート取付部材（８４）とシート（８０）を挟んで気密に嵌合する。処置具挿入用ポート（９６）は図２０ａのように開口部のない隔膜（９７）を取り付け、隔膜（９７）にトロッカーを刺入して用いるタイプや、図２０ｂのように第１の気密部材（９８）と第２の気密部材（９９）を付設したタイプが考えられる。また、処置具挿入用ポート（９６）はポート取付部材（８４）との嵌合部分と弁部分で気密に嵌合する２つの部品に分けてもよい。いずれの方法もシールリング（６４）等の手段により気腹ガスが漏れないようにすると良い。処置具挿入用ポート（５４）（７８）（９６）の材質は塩化ビニル樹脂、ポリウレタン樹脂、ポリエチレン樹脂、ポリプロピレン樹脂、ポリアセタール樹脂、ポリカーボネート樹脂、ポリサルフォン樹脂など若干硬質の樹脂であれば良い。また、シールリング（６４）の材質はシリコーンゴムやニトリルゴム等のゴム系のもので良い。
【００３７】
第１の固定部材（５）（５５）（７４）と第２の固定部材（６）（５６）（７５）の間隔を調整する手段としては、図４、５のように、いずれかの固定部材を筒状部材（１）の内部で動かして間隔を調整して、固定部材間隔調整部材（５７）で、筒状部材（１）を挟み込むようにして固定する方法や、図６のように、第２の固定部材（５６）に取り付けた固定用糸（５９）を引っ張り上げて間隔を調整し、固定用糸（５９）を第１の固定部材（５５）に付設したスリット（５８）にはめ込んで固定する方法や、図７のように、第２の固定部材（５６）に取り付けた固定部材間隔調整用シート（６１）に付設された固定用穴（６２）に第１の固定部材（５５）に付設した突起部（６０）をはめ込んで固定するか、第２の固定部材に取り付けた固定部材間隔調整用シートを第１の固定部材と固定部材間隔調整部材で挟んで固定する方法がある。または、図９〜１１のように第１の固定部材（７４）を引っ張り上げて適当な位置で間隔固定部材（７６）（７９）を固定部材間隔調整部材（７７）に引っかけて固定する。
【００３８】
固定部材間隔調整部材（５７）（７７）は通常、射出成形によって作製され、内周に筒状部材（５１）を通し、第１の固定部材（５５）との間で筒状部材（５１）を挟み込んで気密を守るように設置されている。内外径は処置を行う部位や挿入箇所となる小切開口の大きさ及び挿入する処置具の大きさによるため、限定されないが、腹腔鏡補助下大腸切除術を行う場合、約２〜８ｃｍの小切開に対して、内径約３〜１０ｃｍ、外径約６〜１５ｃｍに設定することが適当である。固定部材間隔調整部材（５７）（７７）の材質は、塩化ビニル樹脂、ポリウレタン樹脂、ポリエチレン樹脂、ポリプロピレン樹脂、ＡＢＳ樹脂、ポリアセタール樹脂、シリコーンゴム等や、ステンレス鋼などの金属が使用される。
【００３９】
固定部材間隔調整シート（６１）は、肉厚０．１〜５ｍｍの薄肉のシート部材であり、シート成形に穴開け加工を加えたり、圧縮成形等により作製されるが特に限定されない。固定部材間隔調整シート（６１）の大きさは、処置を行う部位、目的によって異なるが、幅約２０〜３０ｍｍ、長さ１０〜１５ｃｍ程度に成形される。柔軟であるが切れたり、裂けたりし難い材料を選ぶこと選ぶのが良く、例えば、軟質塩化ビニル樹脂、ポリウレタン樹脂、ポリエチレン樹脂、ポリプロピレン樹脂、ポリエステル樹脂、ＳＥＢＳ樹脂、シリコーンゴム、天然ゴムの様な材質が好ましい。
【００４０】
間隔固定部材（７６）（７９）は筒状部材（７３）の外側に１つ以上取り付けられ、固定部材間隔調整部材（７７）に脱着可能で、筒状部材（７３）に対して縦方向の張力を加えた状態を保持するために用いられる。図９のように１つ以上のリング状の間隔固定部材（７６）を任意のピッチで筒状部材（７３）上に並べたタイプや、図１０のように任意のピッチのコイル状の間隔固定部材（７９）を筒状部材（７３）上に付設したタイプなどがある。特にコイル状の間隔固定部材（７９）では創の大きさに合わせてコイルに捻りを加えることで筒状部材（７３）の径を自在に操ることができる。通常、射出成形、圧縮成形または押出成形物の加工によって作製される。筒状部材（７３）の外表面に熱溶着または接着固定により取付けるのがよいが特に限定されない。
【００４１】
内外径は処置を行う部位や挿入箇所となる小切開口の大きさ及び、挿入する処置具の大きさによるため限定されないが、腹腔鏡補助下大腸切除術を行う場合、約２〜８ｃｍの小切開に対して内径約３〜１２ｃｍ、外径約４〜１５ｃｍに設定することが好ましい。また、間隔固定部材の断面積は０．５〜２０ｍｍ2程度が好ましい。間隔固定部材（７６）間もしくは間隔固定部材（７９）のピッチは０
．２ｃｍ〜２ｃｍが好ましい。材質は硬質で弾力に富んだものがよく、通常ステンレス鋼などの金属が使用されるが、特に厳密なバネ弾性係数を必要とはしないので、塩化ビニル樹脂、ポリウレタン樹脂、ポリエチレン樹脂、ポリプロピレン樹脂、ポリアセタール樹脂、ＡＢＳ樹脂等のプラスチック材料でもよい。
【００４２】
シート（８０）は肉厚０．１〜３ｍｍの平面またはテーパーのかかった円筒形状であり、通常、押出成形またはインフレーション成形等により作製されるが特に限定されない。シート（８０）の大きさは処置を行う部位、目的によって異なるが、腹腔鏡補助下大腸切除術に使用される場合、外径が１０〜３０ｃｍ、開口径が３〜１０ｃｍとなり、また、使用時、内視鏡や鉗子等の処置具が頻繁に出入りするため、嵩張らず、適度に柔軟で、更に、処置具等が当たっても切れたり裂けたりし難い材質を選ぶのが良く、例えば、軟質塩化ビニル樹脂、ポリウレタン樹脂、ポリエチレン樹脂、ポリプロピレン樹脂、ポリエステル樹脂、ＳＥＢＳ樹脂、シリコーンゴム、天然ゴム等の材質が好ましい。
【００４３】
支持部材（８２）はシート（８０）にドーナツ状に包まれ、シート（８０）の熱溶着または接着固定により取付けられて、シート（８０）外縁を支持するか、新たに別の部材を用いて両部材間をつないでもよい。支持部材（８２）は直径を３〜３０ｃｍの間で調整可能なのがよく、支持部材の幅もしくは径は０．５ｍｍ〜２ｃｍが好ましい。また、支持部材（８２）の表面は張力調整部材（８３）に固定されやすいように歯付支持部材（８６）やネジ付支持部材（９１）に見られるような加工を施してもよい。この時の歯やネジのピッチは０．５ｍｍ〜１ｃｍが好ましい。
【００４４】
通常、支持部材（８２）、歯付支持部材（８６）、ネジ付支持部材（９１）は射出成形、圧縮成形または押出成形物の加工によって作製される。材質は硬質で弾力に富んだものがよく、通常ステンレス鋼などの金属が使用されるが、特に厳密なバネ弾性係数を必要とはしないので、塩化ビニル樹脂、ポリウレタン樹脂、ポリエチレン樹脂、ポリプロピレン樹脂、ポリアセタール樹脂、ＡＢＳ樹脂等のプラスチック材料でもよい。
【００４５】
張力調整部材（８３）は支持部材（８２）の片端に取り付けられる。また、張力調整部材（８３）は支持部材（８２）の外周を調整し、任意の位置で固定、解除が可能である。張力調整部材本体（８５）の長さは長寸で２〜１０ｃｍ程度、短寸で５ｍｍ〜４ｃｍ程度で、厚さは５ｍｍ〜２ｃｍと術中に邪魔にならないようにできるだけ薄い方がよい。支持部材（８２）の外周を調整する方法は、図１５ａのように爪歯車（８７）を回して歯付支持部材（８６）を任意の位置で係止歯（８８）を用いてバネ（８９）の応力により係止させ、係止解除レバー（９０）により解除してもよい。また、図１５ｂのようにネジ付支持部材（９１）を調整ネジ（９２）により固定してもよい。張力調整部材本体（８５）は通常、射出成形によって作製される。張力調整部材本体（８５）の材質は塩化ビニル樹脂、ポリウレタン樹脂、ポリエチレン樹脂、ポリプロピレン樹脂、ポリアセタール樹脂、ポリカーボネート樹脂、ポリサルフォン樹脂等の硬質樹脂かステンレス鋼等の金属が使用できる。
【００４６】
また、図１６、１７のように支持部材（９３）は張力調整部材（９４）を介して井桁に組んでもよい。このとき、支持部材の表面は図１６のような歯をつけ、図１５ａで示したようなラチェット機構で支持部材同士を任意の位置で固定、解除してもよい。なお、シート（８０）と支持部材（９３）は新たに別の部材を用いて接続するのが好ましい。支持部材（９３）は一辺を３〜３０ｃｍの間で調整可能なのがよく、支持部材の幅もしくは径は０．５ｍｍ〜２ｃｍが好ましい。
【００４７】
係止解除レバー（９０）は長さは１〜１０ｃｍ、厚さは２ｍｍ〜２ｃｍが好ましい。爪歯車（８７）は直径５ｍｍ〜３ｃｍ、厚さは２ｍｍ〜２ｃｍが好ましい。係止歯（８８）の幅は２ｍｍ〜２ｃｍが好ましい。調整ネジ（９２）は外径１〜３ｃｍ、内径２〜５ｍｍ、長さが２ｍｍ〜３ｃｍが好ましい。バネ（８９）は図１５ａのように板状物を折り曲げたような形状でもよいが普通の支持部材バネでもよく、張力調整部材本体（８５）に収まる大きさであればよい。爪歯車（８７）、係止歯（８８）、バネ（８９）、係止解除レバー（９０）、調整ネジ（９２）は通常、射出成形によって作製される。これらの材質は硬質で変形しにくい材料がよく、塩化ビニル樹脂、ポリウレタン樹脂、ポリエチレン樹脂、ポリプロピレン樹脂、ポリアセタール樹脂、ポリカーボネート樹脂、ポリサルフォン樹脂等の硬質樹脂かステンレス鋼等の金属が使用できる。
【００４８】
ポート取付部材（８４）は図１８、１９のように処置具挿入用ポート（９６）をシート（８０）上に固定するために設置し、気腹時に腹腔内の気密を確保するためのものであり、処置具挿入用ポート（９６）との着脱を行う場合、互いの凹凸やネジによって固定しても良い。通常射出成形などで成形される。内外径は処置を行う部位や挿入箇所となる小切開口の大きさ及び、挿入する処置具の大きさによって決められ、腹腔鏡補助下大腸切除術を行う場合、約２〜８ｃｍの小切開に対して内径約３〜９ｃｍ、外径約４〜１２ｃｍに設定することが適当である。高さは処置の際に邪魔にならないように０．１〜１ｃｍが適当である。その材質は塩化ビニル樹脂、ポリウレタン樹脂、ポリエチレン樹脂、ポリプロピレン樹脂、ポリアセタール樹脂、ポリカーボネート樹脂、ポリサルフォン樹脂等の硬質樹脂かシリコーンゴム、天然ゴム、ＮＢＲ等の合成ゴムが使用される。
【００４９】
次に本発明の第２の発明による医療用処置用具の実際の・BR>G用方法について図４を用いて解説し、本発明の効果を明確にする。腹腔鏡補助下大腸切除術を行う場合、まず、複数本のトロッカーを腹部に挿入し、臓器摘出予想部位に約３〜５ｃｍ程度の小切開を置いて、本発明の第２の固定部材（５６）を腹腔内に挿入し、第１の固定部材（５５）を筒状部材（５１）内で移動させて図４ｂのように腹壁の幅に調節する。固定部材間隔調整部材（５７）により、第１の固定部材との間に筒状部材（５１）を挟み込んで気密に固定する。
【００５０】
トロッカー及び本発明の処置具挿入用ポートより腹腔鏡、処置具を挿入して大腸の剥離、リンパ節の郭清、血管の処理などの処置を腹腔鏡下で行い、十分な受動ができた後、本発明の処置具挿入用ポート（５４）を取り外して大腸を体外へ取り出し、直視下で患部付近の大腸の切離・縫合等を行った後、体内へ大腸を戻す。再度本発明の処置具挿入用ポート（５４）を第１の固定部材に取り付け、再気腹を行い、腹腔内を十分に観察する。再度、体外での処置が必要な場合は気腹を落とし、処置具挿入用ポート（５４）を取り外して処置を行う。第１の発明の使用方法については固定部材間隔の調整作業がない他は第２の発明と同様である。
【００５１】
次に本発明の第３の発明による医療用処置用具の実際の使用方法について図１３、１４、１８、１９を用いて説明し、本発明の効果を明確にする。腹腔鏡補助下大腸切除術を行う場合、まず、複数本のトロッカーを腹部に挿入し、臓器摘出予想部位に約３〜５ｃｍ程度の小切開を置く。図１３、１４のようにその小切開を囲むように本発明のポート取付部材（８４）を置き、ポート取付部材（８４）を通して固定部材（８１）を腹腔内に挿入し、張力調整部材（８３）を用いて支持部材（８２）の径を大きくし、シート外縁に向かって任意の張力を加えて開口部を広げ、腹壁の幅に調節する。この時、シートは外縁に向かって引っ張られているので、従来のようにシートにしわがよって開口部の内側にせり出したりして処置時の邪魔になったりしない。
【００５２】
次に図１８、１９のように処置具挿入用ポート（９６）をシート（８０）を挟んでポート取付部材（８４）に気密に固定する。処置具挿入用ポート（９６）よりトロッカー等を刺入し、そこから腹腔鏡、処置具を挿入して大腸の剥離、リンパ節の郭清、血管の処理などの処置を腹腔鏡下で行い、十分な受動ができた後、処置具挿入用ポート（９６）を取り外して大腸を体外へ取り出し、直視下で患部付近の大腸の切離・縫合等を行った後、体内へ大腸を戻す。再度、処置具挿入用ポート（９６）をポート取付部材（８４）に取り付け、再気腹を行い、腹腔内を十分に観察する。再度、体外での処置が必要な場合は気腹を落とし、処置具挿入用ポート（９６）を取り外して処置を行う。
【００５３】
これにより、「簡単に気腹下処置と腹腔外処置との切り替えができる」「気腹下での処置を行う場合には本発明からも鉗子操作が行える」「癌部位の摘出の際に腹壁の切開創が保護され、癌細胞の創感染の問題がない」等の効果が得られた。さらに、図９、１０のような構造とすることによって「固定部材間隔調整後も筒状部材の弛みは間隔固定部材の間に蛇腹状に折り畳まれるため、術中の視野を妨げない」「筒状部材を全周にわたり均等に引っ張れるので固定部材間のずれが少なく気密を保持しやすい」「間隔固定部材の張力と筒状部材に与えられた張力により開創する」等の効果が、図１３、１４、１６、１７のような構造にすることで、「シート全周にわたって均等に引っ張れるので固定部材間のずれが少なく気密を保持しやすい」「固定部材間隔調整後もシートに弛みが生じないため、術中の視野を妨げない」「シートに与えられた張力により開創する」等の効果が得られた。
【図面の簡単な説明】
【００５４】
【図１】図１ａは本発明の一実施例となる医療用処置用具の外観図を示しており、図１ｂはその断面図。
【図２】図２ａは本発明の一実施例となる医療用処置用具の外観図を示しており、図２ｂはその断面図。
【図３】図３ａは本発明の一実施例となる医療用処置用具の外観図を示しており、図３ｂはその断面図。
【図４】図４ａは本発明の一実施例となる医療用処置用具の外観図を示しており、図４ｂはその断面図。
【図５】図５ａは本発明の一実施例となる医療用処置用具の外観図を示しており、図５ｂはその断面図。
【図６】図６は本発明の一実施例となる医療用処置用具の外観図。
【図７】図７は本発明の一実施例となる医療用処置用具の外観図。
【図８】図８ａ、ｂ、ｃ、ｄは本発明の医療用処置用具の第１の固定部材と処置具挿入用ポートを着脱する構造を示す外観図。
【図９】本発明の一実施例となる医療用処置用具の構成を示す断面図を示している。
【図１０】本発明の一実施例となる医療用処置用具の構成を示す断面図を示している。
【図１１】本発明の一実施例となる医療用処置用具の第１の固定部材と固定部材間隔調整部材の嵌合時の断面図を示している。
【図１２】本発明の一実施例となる医療用処置用具の処置具挿入用ポートと第１の固定部材と固定部材間隔調整部材の嵌合時の断面図を示している。
【図１３】本発明の一実施例となる医療用処置用具の処置具挿入用ポート取付前の正面図を示している。
【図１４】本発明の一実施例となる医療用処置用具の処置具挿入用ポート取付前の断面図を示している。
【図１５】本発明の一実施例となる医療用処置用具の張力調整部材の断面図を示している。
【図１６】本発明の一実施例となる医療用処置用具の処置具挿入用ポート取付前の正面図を示している。
【図１７】本発明の一実施例となる医療用処置用具の処置具挿入用ポート取付前の断面図を示している。
【図１８】本発明の一実施例となる医療用処置用具の処置具挿入用ポート取付後の正面図を示している。
【図１９】本発明の一実施例となる医療用処置用具の処置具挿入用ポート取付後の断面図を示している。
【図２０】本発明の一実施例となる医療用処置用具の処置具挿入用ポートの構造を示す断面図である。
【符号の説明】
【００５５】
１、５１、７３        筒状部材
２、５２、９８        第１の気密部材
３、５３、９９        第２の気密部材
４、８１              固定部材
５、５５、７４        第１の固定部材
６、５６、７５        第２の固定部材
５４、７８、９６      処置具挿入用ポート
５７、７７            固定部材間隔調整部材
５８                  スリット
５９                  固定糸
６０                  突起部
６１                  固定部材間隔調整用シート
６２                  固定用穴
６３                  ネジ
６４                  シールリング
６５、６７、７０      つめ
６６                  受け部
６８、７１            つめ挿入部
６９                  クランプ
７２             つめ挿入部シール部材
７６、７９            間隔固定部材
８０                  シート
８２、９３            支持部材
８３、９４            張力調整部材
８４                  ポート取付部材
８５                  張力調整部材本体
８６                  歯付支持部材
８７                  爪歯車
８８                  係止歯
８９                  バネ
９０、９５            係止解除レバー
９１                  ネジ付支持部材
９２ 調整ネジ
９７                  隔膜
【図１】
2006142037.tif 000003
【図２】
2006142037.tif 000004
【図３】
2006142037.tif 000005
【図４】
2006142037.tif 000006
【図５】
2006142037.tif 000007
【図６】
2006142037.tif 000008
【図７】
2006142037.tif 000009
【図８】
2006142037.tif 000010
【図９】
2006142037.tif 000011
【図１０】
2006142037.tif 000012
【図１１】
2006142037.tif 000013
【図１２】
2006142037.tif 000014
【図１３】
2006142037.tif 000015
【図１４】
2006142037.tif 000016
【図１５】
2006142037.tif 000017
【図１６】
2006142037.tif 000018
【図１７】
2006142037.tif 000019
【図１８】
2006142037.tif 000020
【図１９】
2006142037.tif 000021
【図２０】
2006142037.tif 000022
【手続補正書】
【提出日】平成17年12月28日(2005.12.28)
【手続補正１】
【補正対象書類名】特許請求の範囲
【補正対象項目名】全文
【補正方法】変更
【補正の内容】
【特許請求の範囲】
【請求項１】
体内臓器取出用の開口部を持ち、この開口部には処置具挿入用ポートを気密に取り付け可能な第１の固定部材を設け、更に開口部の回りに筒状部材を気密に付設した第２の固定部材、両固定部材間の長さを調整する固定部材間隔調整部材及び第１の固定部材に気密に取り付け可能な処置具挿入用ポートを設けたことを特徴とする医療用処置用具。
【請求項２】
筒状部材及び第２の固定部材が可とう性を有する請求項１記載の医療用処置用具。
【請求項３】
固定部材間隔調整部材が蓋形状で第１の固定部材と筒状部材を挟んで固定でき、筒状部材を十分に引張て間隔を調整し、固定部材間隔調整部材を第１の固定部材に被せて固定する請求項１または２記載の医療用処置用具。
【請求項４】
固定部材間隔調整部材が第１の固定部材に形付けられたスリット形状であり、第２の固定部材に取り付けた固定用糸により第１の固定部材と第２の固定部材の間隔を調整可能な請求項１または２記載の医療用処置用具。
【請求項５】
固定部材間隔調整部材が第１の固定部材に取り付けられた突起部であり、第２の固定部材に取り付けられた固定部材間隔調整用シートにより第１の固定部材と第２の固定部材の間隔を調整して固定部材間隔調整用シートに付設された固定用穴と第１の固定部材の突起部を嵌合させて固定する請求項１または２記載の医療用処置用具。
【請求項６】
固定部材間隔調整部材が第１の固定部材に取り付け可能で、筒状部材を十分に引張て間隔を調整し、筒状部材上に付設した１つ以上の間隔固定部材に引っかけて固定する請求項１または２記載の医療用処置用具。
【請求項７】
筒状部材が円筒形状である請求項１ないし６記載のいずれかの医療用処置用具。
【請求項８】
処置具挿入用ポートの処置具挿入口が複数である請求項１ないし７記載のいずれかの医療用処置用具。
【請求項９】
処置具挿入用ポートに第１の気密部材と第２の気密部材を付設した請求項１ないし８記載のいずれかの医療用処置用具。
【請求項１０】
気密部材が可とう性のある隔膜である請求項９記載の医療用処置用具。
【手続補正２】
【補正対象書類名】明細書
【補正対象項目名】００１４
【補正方法】削除
【補正の内容】
【手続補正３】
【補正対象書類名】明細書
【補正対象項目名】００１５
【補正方法】変更
【補正の内容】
【００１５】
すなわち、本発明は、体内臓器取出用の開口部を持ち、この開口部には処置具挿入用ポートを気密に取り付け可能な第１の固定部材を設け、更に開口部の回りに筒状部材を気密に付設した第２の固定部材、両固定部材間の長さを調整する固定部材間隔調整部材及び第１の固定部材に気密に取り付け可能な処置具挿入用ポートを設けたことを特徴とする医療用処置用具である。
【手続補正４】
【補正対象書類名】明細書
【補正対象項目名】００１６
【補正方法】削除
【補正の内容】